(57)【要約】【課題】吸収体の安定した変形形態を確保することにより、肌への当接性を向上させ、体液等の漏れを軽減させることが可能な吸収性物品を提供すること。【解決手段】少なくとも一部が液透過性の表面シートと、液不透過性の裏面シートと、前記表面シートと前記裏面シートとの間に配置される液保持性の吸収体と、を備え、前記吸収体は、前記表面シート側の面に連続的又は断続的に形成される圧搾溝により区画されるコア部及びサイド部を有し、前記表面シートは、少なくともその一部が前記吸収性物品の幅方向に伸張可能に形成される。【選択図】図３
2008125918.tif 000002
【特許請求の範囲】
【請求項１】
少なくとも一部が液透過性の表面シートと、
液不透過性の裏面シートと、
前記表面シートと前記裏面シートとの間に配置される液保持性の吸収体と、を備える縦長状の吸収性物品であって、
前記吸収体は、前記表面シート側の面に連続的又は断続的に形成される溝により区画されるコア部及びサイド部を有し、
前記表面シートは、少なくともその一部が前記吸収性物品の幅方向に伸張可能に形成される吸収性物品。
【請求項２】
前記コア部の前記表面シート側の面の少なくとも一部は、前記吸収性物品の幅方向に伸張可能に形成される請求項１に記載の吸収性物品。
【請求項３】
前記表面シートは、前記コア部よりも前記吸収性物品の幅方向における伸張率が高い請求項１又は２に記載の吸収性物品。
【請求項４】
前記表面シートは、前記裏面シートよりも前記吸収性物品の幅方向における伸張率が高い請求項１から３のいずれかに記載の吸収性物品。
【請求項５】
前記表面シートの略中央部は、該略中央部の前記吸収性物品の幅方向における両側よりも前記吸収性物品の幅方向における伸張率が高い請求項１から４のいずれかに記載の吸収性物品。
【請求項６】
前記コア部と前記裏面シートとの間には、所定の空間部が形成される請求項１から５のいずれかに記載の吸収性物品。
【発明の詳細な説明】
【技術分野】
【０００１】
本発明は、吸収性物品に関する。特に、密着性及び防漏性に優れた吸収性物品に関する。
【背景技術】
【０００２】
従来より、体液等の排泄物を吸収させるための吸収性物品として、例えば、生理用ナプキン、パンティライナー、尿取りパッド等が使用されている。これらの吸収性物品は、体液等を吸収し保持する吸収体と、この吸収体の肌当接面側の表面を覆う液透過性の表面シートと、吸収体の着衣側に該当する非肌当接面側の裏面を覆う液不透過性の裏面シートと、を有し、例えば、下着のクロッチ布等の内面に接着させた状態で使用される。
【０００３】
ところで、通常、このような吸収性物品は、着用者の排泄部からの体液等の排泄物を確実に捕捉するために吸収体における所定の吸収部を排泄部に密着させて使用することが望まれている。例えば、着用時に着用者の排泄部と吸収部との間に隙間が生じると、吸収性物品の表面シートに零れた体液等の排泄物が表面シートに沿って吸収性物品の側方や臀部方向へ流れ出し、そこから漏れを発生させ、下着や着衣を汚してしまうおそれがあるためである。
【０００４】
特に、生理用ナプキンのように下着のクロッチ布に固定して使用する吸収性物品は、下着と排泄部との間に相対的な位置ずれが生じ易く、この位置ずれが横漏れの原因となることがあった。
【０００５】
これに対し、表面シートと吸収体とを連続的に圧搾処理することにより溝を形成し、この溝を生理用ナプキンの長手方向における両側のそれぞれに設けることにより、吸収体の捩れ等から生じる排泄物の横漏れを防止する生理用ナプキンが開示されている（例えば、特許文献１参照）。
【０００６】
特許文献１に開示された生理用ナプキンは、例えば、生理用ナプキンの幅方向における略中心部に設けられる吸収体コアを挟むようにして一対の溝を配している。この溝は、相対的に密度の高い高圧搾部と相対的に密度の低い低圧搾部とが連続しており、吸収体の肌当接面側に形成されている。これにより、例えば、着用者の大腿部から幅方向の圧縮力を受けた場合に、吸収体コア部を凸状に変形させ、これを着用者の排泄部に当接させることにより、排泄物の漏れを防止するとしたものである。
【特許文献１】特開平９−１０８２６２号公報
【発明の開示】
【発明が解決しようとする課題】
【０００７】
しかしながら、特許文献１に開示の生理用ナプキンは、溝を設けることによりコア部を所望の凸形状に変形させることは可能であるが、肌当接面側に配置される表面シート等が伸張性を有していないため、表面シート等がコア部の変形を阻害するという問題があった。
【０００８】
本発明は、以上のような課題に鑑みてなされたものであり、吸収体の安定した変形形態を確保することにより、着用者の肌への密着性を向上させ、体液等の漏れを軽減させることが可能な吸収性物品を提供することを目的とする。
【課題を解決するための手段】
【０００９】
本発明者らは、上記目的を達成するために、吸収体の肌当接面側に配置されるシート部材に伸張性をもたせることにより、吸収体を効果的に変形させることが可能であることを見出し、本発明を完成するに至った。具体的には、以下のような吸収性物品を提供する。
【００１０】
（１）  少なくとも一部が液透過性の表面シートと、液不透過性の裏面シートと、前記表面シートと前記裏面シートとの間に配置される液保持性の吸収体と、を備える縦長状の吸収性物品であって、前記吸収体は、前記表面シート側の面に連続的又は断続的に形成される溝により区画されるコア部及びサイド部を有し、前記表面シートは、少なくともその一部が前記吸収性物品の幅方向に伸張可能に形成される吸収性物品。
【００１１】
ここで、伸張可能に形成されるとは、吸収性物品の幅方向に伸張可能に形成されるものの他に、例えば、吸収性物品の幅方向に伸縮可能に形成されるものも含むものとする。
【００１２】
（２）  前記コア部の前記表面シート側の面の少なくとも一部は、前記吸収性物品の幅方向に伸張可能に形成される（１）に記載の吸収性物品。
【００１３】
（３）  前記表面シートは、前記コア部よりも前記吸収性物品の幅方向における伸張率が高い（１）又は（２）に記載の吸収性物品。
【００１４】
（４）  前記表面シートは、前記裏面シートよりも前記吸収性物品の幅方向における伸張率が高い（１）から（３）のいずれかに記載の吸収性物品。
【００１５】
（５）  前記表面シートの略中央部は、該略中央部の前記吸収性物品の幅方向における両側よりも前記吸収性物品の幅方向における伸張率が高い（１）から（４）のいずれかに記載の吸収性物品。
【００１６】
（６）  前記コア部と前記裏面シートとの間には、所定の空間部が形成される（１）から（５）のいずれかに記載の吸収性物品。
【発明の効果】
【００１７】
本発明によれば、吸収体の安定した変形形態を確保することにより、肌への密着性を向上させ、体液等の漏れを軽減させることが可能な吸収性物品を提供することができる。
【発明を実施するための最良の形態】
【００１８】
以下、本発明の実施形態について図面を参照しながら説明する。なお、本発明の実施形態は、下記の実施例に何ら限定されることなく、本発明の技術的範囲は、これに限定されるものではない。
【００１９】
また、本発明に係る吸収性物品は、身体から排泄される経血、尿、おりものなどを吸収することを目的として身体の股間部に着用されるものであるが、以下の実施形態では、女性の膣口から排泄される経血を吸収することを主な目的とする生理用ナプキンを例として説明する。また、吸収性物品の２つの表面のうち排泄部に向けられる一方側を肌当接面とし、反対側の他方側を着衣が着用されるか否かに拘らず非肌当接面とする。
【００２０】
図１は、本発明の第１実施形態に係る生理用ナプキンの平面図である。図２は、図１の底面図である。図３は、図１を説明するためのＸ−Ｘ断面を示す説明図である。図４は、コア部の凸状変形時における各層の開孔部を示す図である。図５（Ａ）から（Ｃ）は、開孔パターンを示す図である。図６（Ａ）から（Ｅ）は、開孔パターンの他の形態を示す図である。図７は、第１実施形態に係る生理用ナプキンの他の形態を示す図である。図８（Ａ）から（Ｅ）は、溝の他の形態を示す図である。図９は、第１実施形態に係る生理用ナプキンの他の形態を示す図である。図１０（Ａ）及び（Ｂ）は、溝において生理用ナプキンと下着とを固定した状態を示す断面図である。
【００２１】
図１１は、サイドフラップを有する生理用ナプキンを下着に装着した状態を示す断面図である。図１２は、本発明の第２実施形態に係る生理用ナプキンを示す図である。図１３（Ａ）から（Ｃ）は、折り返し部の他の形態を示す断面図である。図１４は、本発明の第３実施形態に係る生理用ナプキンを示す図である。図１５（Ａ）及び（Ｂ）は、表面シートにおける伸張手段の他の形態を示す図である。図１６は、表面シートにおける伸張手段の他の形態を示す図である。図１７は、本発明の第４実施形態に係る生理用ナプキンを示す図である。図１８は、本発明の第５実施形態に係る生理用ナプキンを示す図である。図１９（Ａ）は、図１８のＡ−Ａ断面を説明するための図である。図１９（Ｂ）は、図１８のＢ−Ｂ断面を説明するための図である。図２０は、本発明の第６実施形態に係る生理用ナプキンを示す図である。図２１は、第６実施形態に係る生理用ナプキンの他の形態を示す図である。図２２は、折り返し部を有する吸収体を示す図である。図２３は、第６実施形態に係る生理用ナプキンの他の形態を示す図である。図２４（Ａ）及び（Ｂ）は、第６実施形態に係る生理用ナプキンの変形状態を示す図である。図２５は、本発明の第７実施形態に係る生理用ナプキンを示す図である。
【００２２】
［１］第１実施形態
本発明の第１実施形態における生理用ナプキン１を用いて、本発明の吸収性物品の全体構造について説明する。
【００２３】
［１．１］全般
図１及び図２に示すように、本発明の第１実施形態に係る吸収性物品である生理用ナプキン１は、略縦長に形成されている。生理用ナプキン１の長手方向における長さは、例えば、１５０ｍｍから５００ｍｍ、好ましくは１８０ｍｍから２９０ｍｍを例示できる。この例示した長さを有する生理用ナプキン１は、例えば、通常時に使用する場合（例えば、昼用として）において好適に使用することができる。
【００２４】
また、図３に示すように、生理用ナプキン１は、ティッシュ７に包まれた液保持性の吸収体４と、吸収体４の厚さ方向における一方側である肌当接面側に配置される液透過性の表面シート２と、吸収体４の厚さ方向における他方側である非肌当接面側に配置される液不透過性の裏面シート３と、を備える。裏面シート３の非肌当接面側には粘着部８が設けられており、この粘着部８を用いて生理用ナプキン１は着用者の下着と係止される。なお、第１実施形態においては、生理用ナプキン１は、表面シート２と吸収体４との間に配置され、表面シート２の一部を形成する液透過性の中間シート５と、生理用ナプキン１の表面層の一部を構成するサイドシート６と、生理用ナプキン１の幅方向に延在するサイドフラップＷ１、Ｗ２と、を備える。サイドフラップＷ１、Ｗ２には、粘着部９が設けられており、サイドフラップＷ１、Ｗ２を非肌当接面側に折り返し、例えば、下着のクロッチ部に係止させることにより生理用ナプキン１は下着に装着される。
【００２５】
さらに、生理用ナプキン１は、表面シート２の肌当接面側から裏面シート４に向かって凹状に形成される溝１１を備え、この溝１１により吸収体４はコア部４０とサイド部４１とに区画される。また、溝１１は、例えば、吸収体４の略中央部に形成されるコア部４０を囲むように、高圧搾に形成される高圧搾部１２と低圧搾に形成される低圧搾部１３とが連続的に形成されてなり、主に、吸収体４における経血等の排泄物の拡散を防止する。
【００２６】
ここで、排泄部から排泄される経血等の排泄物は、表面シート２における液透過領域及び中間シート５を透過して、吸収体４で吸収される。非肌当接面側に配置される裏面シート３は、液不透過性であるため、排泄物は非肌当接面側には透過せず、吸収体４に吸収された状態で保持されることになる。また、溝１１は、着用者の大腿部から圧縮力が加わった場合に、吸収体４の略中央部に形成されるコア部４０を凸状に変形させる。生理用ナプキン１は、このように凸状に変形したコア部４０を着用者の排泄部に当接させることにより漏れを防止する。
【００２７】
［１．２］表面シート
表面シート２は、着用時に着用者の身体側に配置されると共に排泄部に当接される。表面シート２は、全面が液透過性であってもよく、一部が液透過性であってもよい。また、一枚のシート部材で構成してもよく、複数のシート部材を接合して構成してもよい。本実施形態においては、表面シート２は、生理用ナプキン１の幅方向における略中央部に液透過領域を備え、幅方向における端部側が液不透過性のサイドシート６で覆われている。また、表面シート２には、生理用ナプキン１の長手方向に長く延び、生理用ナプキン１の厚さ方向に貫通する複数の開孔部１０１が設けられている。
【００２８】
ここで、表面シート２は、例えば、比較的嵩高で、内部に繊維間の空隙が形成されたエアースルー不織布を用いることができる。エアースルー不織布の繊維構成としては、例えば、親水性繊維と、疎水性繊維との合成繊維を例示することができる。第１実施形態における表面シート２としては、例えば、繊度が２．６ｄｔｅｘの中空構造の親水性繊維の繊維長を５１ｍｍにカットしたものと、繊度が２．２ｄｔｅｘの芯鞘構造の疎水性繊維の繊維長を５１ｍｍにカットしたものと、をそれぞれ５０％ずつ複合して形成し、目付を３０ｇ／ｍ２とした不織布を用いることができる。
【００２９】
［１．３］中間シート
中間シート５は、表面シート２を透過した排泄物を吸収体４に透過させると共に、使用時におけるクッションとしても機能する。中間シート５には、生理用ナプキン１の長手方向に長く延び、生理用ナプキン１の厚さ方向に貫通する複数の開孔部１０２が設けられている。ここで、中間シート５は、表面シート２と同様のシート部材を用いることができる。第１実施形態における中間シート５としては、例えば、繊度が２．２ｄｔｅｘの芯鞘構造の親水性繊維の繊維長を５１ｍｍにカットし、目付を３０ｇ／ｍ２とした不織布を用いることができる。
【００３０】
［１．４］吸収体
吸収体４は、ティッシュ７に包まれており、表面シート２及び中間シート５を透過した経血等の排泄物を吸収し、保持する。吸収体４は、生理用ナプキン１の幅方向における略中央部に略楕円形のコア部４０を備える。コア部４０は、溝１１により囲まれる領域である。コア部４０の幅方向における両側には、サイド部４１が形成される。吸収体４としては、例えば、針葉樹クラフトパルプを粉砕したものに、高吸収ポリマーを１０％ブレンドし、ティッシュ７で包んだものを用いることができる。第１実施形態における吸収体４は、例えば、目付が４００ｇ／ｍ２のものを用いることができる。また、吸収体４を包含するティッシュ７としては、目付が１８ｇ／ｍ２のものを用いることができる。なお、本実施形態においては、ティッシュ７には、肌当接面側に生理用ナプキン１の長手方向に長く延び、生理用ナプキン１の厚さ方向に貫通する複数の開孔部１０３が形成されている。
【００３１】
［１．５］裏面シート
裏面シート３は、液不透過性のシート部材を用いることにより、吸収体４が保持する排泄物等が着用者の非肌当接面側に漏れるのを防止する。第１実施形態における裏面シート３は、例えば、目付が２７ｇ／ｍ２の液不透過性のポリエチレンフィルムを用いることができる。
【００３２】
［１．６］サイドシート
サイドシート６は、表面シート２の一部が生理用ナプキン１の幅方向外側に延在されると共に、裏面シート３の一部が幅方向外側に延在され、これらの延在された表面シート２の延在部分と、裏面シート３の延在部分と、を例えばホットメルト接着剤で接合することにより形成される。サイドシート６としては、例えば、ポリプロピレンスパンボンド不織布（ＰＰＳＢ）を用いることができる。
【００３３】
［１．７］開孔部
［１．７．１］形状等
図３及び図４に示すように、表面シート２、中間シート５及びティッシュ７のそれぞれには、生理用ナプキン１の長手方向に伸び、略縦長に形成された複数の開孔部１０１、１０２、１０３が生理用ナプキン１の幅方向に間欠的に設けられている。言い換えると、開孔部１０１、１０２、１０３は、溝１１に沿うように、生理用ナプキン１の略中央部に形成されている。開孔部１０１、１０２、１０３としては、例えば、スリット状に形成されたものを例示できる。このように、表面シート２、中間シート５及びティッシュ７のそれぞれに開孔部１０１、１０２、１０３を設けることにより、例えば、コア部４０が凸状に変形した場合、各開孔部１０１、１０２、１０３が幅方向に引っ張られ、略菱形に変形可能となるため、表面シート２、中間シート５及びティッシュ７のそれぞれは、幅方向に伸張可能となる。例えば、着用者の大腿部からの圧縮力が生じ、コア部４０が凸状に変形する場合、図４に示すように、開孔部１０１、１０２、１０３が拡幅し開孔を形成することにより、コア部４０の凸変形を阻害することなく、変形させることができる。なお、コア部４０を押さえ込むことなく凸状に変形させるためには、少なくとも吸収体４よりも肌当接面側に配置されるシート部材が伸張性を有すればよい。
【００３４】
また、表面シート２、中間シート５及びティッシュ７のそれぞれに開孔部１０１、１０２、１０３を設けることにより、生理用ナプキン１の幅方向への伸張性、或いは伸縮性を持たせることが可能になるため、例えば、サイド部４１から伝わった力によってコア部４０が凸状に変形した場合においても、吸収体４を圧迫することがなくなる。これにより、表面シート２等の密度を低く保つことができ、例えば、凸状に変形した後に着用者の動きに伴う圧力が加わった場合においても、体液等が表面シート側に戻りにくくなる。すなわち、リウェットバックによる不快感を軽減することができる。さらに、表面シート２が吸収体４等を圧迫しないために、凸状変形時にも吸収体４から体液等が戻ることを軽減することができる。
【００３５】
ここで、表面シート２における開孔部１０１としては、例えば、図５（Ａ）に示すように、長手方向における長さを５．０ｍｍに形成した開孔部１０１を縦ピッチａが３．０ｍｍ、横ピッチｂが３．０ｍｍとなるように所定の間隔で配置したものが例示できる。ここで、縦ピッチとは、生理用ナプキン１の長手方向における各開孔部１０１、１０２、１０３の間隔をいい、横ピッチとは、生理用ナプキン１の幅方向における各開孔部１０１、１０２、１０３の間隔をいう。
【００３６】
また、中間シート５における開孔部１０２としては、例えば、図５（Ｂ）に示すように、長手方向における長さを３．５ｍｍに形成した開孔部１０２を縦ピッチｃが２．５ｍｍ、横ピッチｄが３．０ｍｍとなるように所定の間隔で配置したものが例示できる。さらに、ティッシュ７における開孔部１０３としては、例えば、図５（Ｃ）に示すように、長手方向における長さを２．０ｍｍに形成した開孔部１０３を縦ピッチｅが１．５ｍｍ、横ピッチｆが３．０ｍｍとなるように所定の間隔で配置したものが例示できる。
【００３７】
なお、第１実施形態においては、図５（Ａ）から（Ｃ）に示すように開孔部の形状を長手方向に延びる略縦長の形状とし、この開孔部１０１、１０２、１０３を間欠的に設ける構成としたが、本発明においてはこれに限らない。生理用ナプキン１は、コア部４０の凸状変形に合わせて、開孔部が拡幅し、開孔する開孔パターンや配置がなされているものであればよい。開孔パターンとしては、例えば、図６（Ａ）に示すように、縦長の開孔部同士が交差することにより形成される略十字形状を所定の間隔で配置するものであってもよい。また、例えば、図６（Ｂ）に示すように、一の開孔部に対し、他の開孔部が直交する方向に設けられ、それぞれが所定の間隔で配置されるものであってもよい。また、例えば、図６（Ｃ）に示すように、湾曲した開孔部を所定の間隔で配置するものであってもよい。また、例えば、図６（Ｄ）に示すように、長さの異なる開孔部を間欠的に配置するものであってもよい。また、例えば、図６（Ｅ）に示すように、幅方向に対し、開孔部の間隔が異なるように配置してもよい。この場合、生理用ナプキン１の略中央から両端部にいくにしたがって各開孔部の幅方向における間隔が狭くなるように配置することが好ましい。
【００３８】
［１．７．２］開孔部長さ
開孔部１０１、１０２、１０３の長さは、表面シート２、中間シート５及びティッシュ７のそれぞれの開孔部の長さを全て同じにすることにより、コア部４０の非肌当接面側への押さえ込みは軽減させることができるが、コア部４０を好適に肌当接面側に凸状に変形させるためには、最も着用者の肌当接面側に配置される材料ほど伸張率を高くすることが好ましい。言い換えると、最も着用者の肌当接面側に配置される表面シート２をより多く伸張させることが好ましい。肌当接面側に配置されるシート部材の伸張性を高めることにより、そのシート部材よりも非肌当接面側に配置されるシート部材への圧迫が減少し、コア部４０の変形を容易とするためである。また、コア部４０に近いシート部材に過度の伸張性を持たせないことにより、ポリマーやパルプの抜けを軽減することができる。したがって、第１実施形態においては、表面シート２における開孔部１０１の長さを一番長くし、次いで、中間シート５における開孔部１０２の長さを次に長くし、最後に、吸収体４に一番近いティッシュ７における開孔部１０３を他の開孔部１０１、１０２より短くすることにより、伸張性を向上させている。例えば、表面シート２における開孔部１０１の長手方向における長さを５．０ｍｍとし、中間シート５における開孔部１０２の長手方向の長さを３．５ｍｍとし、ティッシュ７における開孔部１０３の長手方向の長さを１．５ｍｍとすることができる。
【００３９】
［１．７．３］開孔部の横ピッチ
コア部４０の非肌当接面側への押さえ込みは、表面シート２、中間シート５及びティッシュ７のそれぞれの開孔部の横ピッチｂ、ｄ、ｆを全て同じ長さにすることにおいても、軽減させることができる。また、例えば、表面シート２における開孔部１０１の横ピッチｂを一番狭くし、次いで、中間シート５における開孔部１０２の横ピッチｄを次に狭くし、最後に、吸収体４に一番近いティッシュ７の横ピッチｆを一番広くすることにより、伸張率を向上させることもできる。例えば、表面シート２における開孔部１０１の横ピッチｂを２．０ｍｍとし、中間シート５における開孔部１０２の横ピッチｄを３．５ｍｍとし、ティッシュ７における開孔部１０３の横ピッチｆを５．０ｍｍとすることができる。
【００４０】
［１．８］シート部材の１５％引張強度
第１実施形態における各シート部材の１５％引張強度は、例えば、表面シート２については０．０９Ｎ／インチ、中間シート５については０．１３Ｎ／インチ、ティッシュ７については０．４Ｎ／インチ、裏面シート３については、４．２Ｎ／インチ、としたものを例示することができる。なお、１５％引張強度とは、生理用ナプキン１が着用者の肌当接面側に凸状に変形した場合におけるそれぞれのシート部材の伸度を１５％とみなし、この場合の引張強度を測定したものである。
【００４１】
表面シート２における１５％引張強度としては、例えば、０．０１Ｎ／インチから０．２Ｎ／インチの範囲にあることが好ましい。より好ましくは、０．０１Ｎ／インチから０．１５Ｎ／インチの範囲を例示することができる。さらに好ましくは、０．０１Ｎ／インチから０．１Ｎ／インチの範囲を例示することができる。０．０１Ｎ／インチ以下であると、着用者が動いて着用者の肌と表面シート２とが擦れた場合に、容易に破れる可能性があるためである。また、０．２Ｎ／インチ以上であると、コア部４０の変形に支障をきたすおそれがあるためである。
【００４２】
また、表面シート２とティッシュ７との関係における１５％引張強度としては、例えば、ティッシュ７の１５％引張強度／表面シート２の１５％引張強度の値が０．５から１０．０の範囲にあることが好ましい。さらに好ましくは、ティッシュ７の１５％引張強度／表面シート２の１５％引張強度の値が１．０から６．０の範囲にあることが例示できる。
【００４３】
さらに、表面シート２と裏面シート３との関係における１５％引張強度としては、例えば、裏面シート３の１５％引張強度／表面シート２の１５％引張強度の値が１０以上であることが好ましい。さらに好ましくは、裏面シート３の１５％引張強度／表面シート２の１５％引張強度の値が１５以上であることが例示できる。１０以下の場合においては、強度の差が小さすぎるために肌当接面側への変形が妨げられるおそれがあるためである。
【００４４】
［１．９］溝
生理用ナプキン１は、表面シート２及び吸収体４を肌当接面側から連続的に圧搾することにより形成され、吸収体４をコア部４０とサイド部４１とに区画する溝１１を備える。溝１１は、例えば、図７に示すように、吸収体４の厚さ方向における非肌当接面側に突出する突出部１５を有する。突出部１５は、コア部４０のコア部裏面４２よりも非肌当接面側に突出するように形成されることが好ましい。例えば、着用者の大腿部から幅方向に圧縮力が加わることによりコア部４０が凸状に変形する場合において、突出部１５は、コア部４０のコア部裏面４２に潜り込むことが可能となるため、コア部４０の凸状変形が容易になるためである。
【００４５】
溝１１は、高圧搾及び低圧搾のそれぞれを連続して圧搾することにより形成される。すなわち、溝１１は、高圧搾による凹部１２と、低圧搾による凸部１３と、を備える。例えば、凹部１２は、幅２ｍｍ、長さ０．７ｍｍの略方形に形成されてもよい。また、凸部１３は、幅２ｍｍ、長さ１．０ｍｍ、高さ１ｍｍの略立方形に形成されてもよい。ここで、凹部１２及び凸部１３における幅とは、幅方向における距離をいい、長さとは、長手方向における距離をいう。また、凸部１３における高さとは、厚さ方向における距離をいう。溝１１は、このように形成された凹部１２と凸部１３とが連続して形成されている。
【００４６】
なお、本実施形態においては、溝１１は、底部において、高圧搾による凹部１２と、低圧搾による凸部１３と、がそれぞれ交互に連続的に形成されるが、本発明においてはこれに限られない。例えば、図８（Ａ）に示すように、溝１１は、高圧搾による凹１２部のみにより形成し、凹凸がなく、一定の高さの形状を構成するようにしてもよい。また、図８（Ｂ）に示すように、溝１１は、溝１１の幅方向における溝幅の全体に凹部１２を設けるのではなく、溝幅の一部に凹部１２を設けてもよい。また、図８（Ｃ）に示すように、溝１１は、溝１１の幅方向における溝幅の全体に凸部１３を設けるのではなく、溝幅の一部に凸部１３を設けてもよい。さらに、図８（Ｄ）に示すように、凹部１２又は凸部１３の形状を略円柱形にし、ドット状に構成してもよい。なお、本発明においては、図８（Ａ）から（Ｄ）に示す高圧搾による凹部１２及び低圧搾による凸部１３は、それぞれが逆に配置される構成としてもよい。
【００４７】
また、図８（Ｅ）に示すように、溝１１は、凹部１２に開口１７を設けてもよい。凹部１２に開口１７を設けることにより、例えば、表面シート２から伝ってきた経血等の排泄物をコア部４０の下層である非肌当接面側に設けられる裏面シート３に落とし込むことが可能になり、表面シート２を含む表面層において排泄物の拡散を抑制することができるためである。なお、図８（Ｅ）においては開口１７を凹部１２に設けたが、開口１７は、凸部１３に設けてもよい。凸部１３に開口１７を設けた場合においても、同様の効果を得ることができるためである。
【００４８】
また、例えば、溝１１は、壁部１４に開口（図示せず）を設けてもよい。この場合においても、同様に、表面シート２から伝ってきた排泄物をコア部４０の下層である非肌当接面側に設けられる裏面シート３に落とし込むことが可能になる。なお、壁部に設ける開口は、圧搾時において、壁部が分断されない程度の大きさであることが好ましい。
【００４９】
［１．１０］伸張部を有するシート部材同士の接合
表面シート２、中間シート５及びティッシュ７のそれぞれは、幅方向への伸張性を阻害しないようにスパイラル状のホットメルト接着剤によって接合されることが好ましい。また、例えば、スプレー等により塗工されたものや、長手方向に延びるストライプ状のホットメルト接着剤等により接合してもよい。さらに、例えば、図９に示すように、各開孔部１０１の間を所定のエンボス１１４でエンボス加工を施すことにより表面シート２、中間シート５及びティッシュ７のそれぞれを接合してもよい。この場合、エンボス１１４の形状としては、図９に示す略円形の他に、例えば、多角形、楕円形、縦長形、星形等を形成することにより接合してもよい。なお、幅方向における接合は、伸張性を阻害するおそれを考慮すると、連続的に接合しないことが好ましい。
【００５０】
［１．１１］被係止体との係止
図１０（Ａ）に示すように、ずれ止め用の粘着部８は、裏面シート３における溝１１の非肌当接面側に配置し、被係止体である下着５０と固定させることが好ましい。これにより、溝１１は、図１０（Ｂ）に示すようなコア部４０の肌当接面側への凸状変形を誘導することが可能となるためである。
【００５１】
［１．１２］フラップ部
本実施形態においては、生理用ナプキン１は、サイドシート６として表面層の一部において幅方向に延在されると共に、裏面シート３の一部が幅方向に延在され、これらの延在された延在部分同士をホットメルト接着剤により接合して形成されるサイドフラップＷ１、Ｗ２を備える。生理用ナプキン１は、図１１に示すように、このサイドフラップＷ１、Ｗ２を例えば被係止体である下着５０のクロッチ布に非肌当接面側に折り込むことにより、下着５０と接合される。これにより、例えば、着用者の大腿部から幅方向に圧縮力が加わった場合に、サイド部４１の厚さ方向への動きが規制されるため、安定した凸状変形が可能になる。なお、本実施形態においては、一対のサイドフラップＷ１、Ｗ２を設けたが、本発明においてはこれに限らず、サイドフラップＷ１、Ｗ２を設けない構成であってもよい。また、複数のサイドフラップを設けてもよい。
【００５２】
［２］他の実施形態
図１２から図２５を用いて、本発明の第２実施形態から第７実施形態について説明する。第２実施形態は、表面シート２等に折り返し部２１を設けた他の実施形態を示す。第３実施形態は、表面シート２等に波形のエンボス加工を施した他の実施形態を示す。第４実施形態は、表面シート２等に様々な伸張加工を組み合わせた他の実施形態を示す。第５実施形態は、夜用の生理用ナプキンに使用した場合の他の実施形態を示す。第６実施形態は、サイド部４１を非肌当接面側に折り返して使用する他の実施形態を示す。第７実施形態は、吸収体４のみに溝１１を形成する他の実施形態を示す。
【００５３】
なお、以下の実施形態において、特に説明しない部分は、第１実施形態と同様であり、図面に付した番号も第１実施形態と同様である場合は、同じ番号を付している。
【００５４】
［２．１］第２実施形態
図１２及び図１３を用いて、本発明の第２実施形態における生理用ナプキン１Ｂを説明する。図１２に示すように、第２実施形態における生理用ナプキン１Ｂは、表面シート２及びティッシュ７の幅方向略中央に折り返し部２１、７１を設けたことにおいて、第１実施形態と異なる。具体的には、生理用ナプキン１Ｂは、表面シート２及びティッシュ７の幅方向略中央に、生理用ナプキン１Ｂを二分する幅方向略中心線から互いに相反する方向に折り返すことにより形成される一対のタックを備えた折り返し部２１、７１を設け、伸張性を持たせる構成としている。
【００５５】
このように、生理用ナプキン１Ｂは、折り返し部２１、７１を設けることにより、例えば、コア部４０が肌当接面側に凸状に変形する場合においても、コア部４０の肌当接面側に配置される折り返し部２１、７１のタックが開放されることにより、表面シート２及びティッシュ７が幅方向に伸張可能となる。これにより、コア部４０は、表面シート２及びティッシュ７に押し返されることなく、容易に凸状変形をすることが可能となる。また、開孔部を設ける場合と異なり、凸状変形時において開孔が形成されないため、例えば、ティッシュ７の開孔からコア部４０の材料が漏れることなく保持することが可能になる。なお、折り返し部２１、７１は、非接合の折り返しのみにより形成してもよく、折り返し部の一部を例えば、エンボス等により弱接合としてもよい。
【００５６】
第２実施形態においては、生理用ナプキン１Ｂは、折り返し部２１、７１を幅方向略中央に設けたが、本発明においてはこれに限らない。例えば、折り返し部２１、７１は、少なくともコア部４０の肌当接面側に設けてあればよい。
【００５７】
また、第２実施形態においては、折り返し部２１、７１は、生理用ナプキン１Ｂを二分する幅方向略中心線から互いに相反する方向に折り返すことにより形成される一対のタックを有するように形成したが、本発明においてはこれに限らない。例えば、折り返し部としては、図１３（Ａ）から（Ｃ）に示すような形状のものを用いてもよい。具体的には、図１３（Ａ）に示すように、表面シート２の一部を同じ方向に所定量折り返したタック２１ａを複数設けてもよい。また、図１３（Ｂ）に示すように、折り返し量の異なるタック２１ａ、２２を同じ方向に所定量折り返して形成してもよい。また、図１３（Ｃ）に示すように、タック２１ａ、２３を互いに異なる方向に向くように形成してもよい。
【００５８】
また、第２実施形態においては、コア部４０よりも肌当接面側に配置される表面シート２及びティッシュ７に折り返し部２１、７１を設けたが本発明においてはこれに限らない。例えば、コア部４０の肌当接面側に他のシート部材が配置される場合においては、それらのシート部材に折り返し部を設けることにより、伸張性を持たせるものとしてもよい。
【００５９】
［２．２］第３実施形態
図１４を用いて、本発明の第３実施形態における生理用ナプキン１Ｃを説明する。図１４に示すように、第３実施形態における生理用ナプキン１Ｃは、表面シート２及びティッシュ７に波形のエンボス加工を施したことにおいて、第１実施形態と異なる。具体的には、表面シート２及びティッシュ７は、山型の噛み込み型のエンボスを加えることにより、伸張性を持たせる構成としている。
【００６０】
このように、生理用ナプキン１Ｃは、表面シート２及びティッシュ７に波形のエンボス加工を施すことにより、コア部４０が肌当接面側に凸状に変形する場合においても、表面シート２及びティッシュ７が波型のエンボス分だけ伸張可能となる。これにより、生理用ナプキン１Ｃは、コア部４０が表面シート２及びティッシュ７に押し返されることなく、容易に凸状変形をすることが可能となる。また、エンボス加工部分においては、エンボス加工により表面シート２及びティッシュ７の目付が低減される部分が形成されるため、経血等の排泄物の透過性を向上させることが可能となる。
【００６１】
第３実施形態においては、生理用ナプキン１Ｃは、表面シート２及びティッシュ７に波型の賦型処理を施すことにより、幅方向に伸張可能な構成としたが、本発明においてはこれに限らない。例えば、図１５（Ａ）に示すように、波型のエンボスの凸部と凸部の間に開孔部１０１を設ける構成としてもよい。また、図１５（Ｂ）に示すように、凸部の厚さ方向における高さの異なる波型のエンボス加工を施し、その凸部と凸部の間に開孔部１０１を設ける構成としてもよい。さらに、開孔部１０１の代わりに円形状のドット形状の穴部（図示せず）を設ける構成としてもよい。
【００６２】
生理用ナプキン１Ｃは、例えば、図１６に示すように、第２実施形態における折り返し部２１の間に、開孔部１０１を設けることにより、表面シート２及びティッシュ７等に伸張性を持たせる構成としてもよい。このように、第２実施形態における生理用ナプキン１Ｂと第３実施形態における生理用ナプキン１Ｃとは、伸張手段において、互いにそれぞれを組み合わせて伸張性を持たせる構成としてもよい。
【００６３】
また、表面シート２及びティッシュ７を加工するだけでなく、予め表面シート２やティッシュ７自体が幅方向への伸縮性、若しくは伸張性を有するものを使用してもよい。例えば、表面シート２及びティッシュ７自体にコイル状の捲縮繊維、ウレタン等の伸張可能な繊維、又は表面シート２及びティッシュ７等の融着点を減少させて幅方向に伸び易くしたものを用いてもよい。また、繊維配向を長手方向に強めることで幅方向への引っ張り強度を減少させ伸張性をもたせてもよい。さらに、伸張度の高い繊維集合体を用いてもよい。
【００６４】
［２．３］第４実施形態
図１７を用いて、本発明の第４実施形態における生理用ナプキン１Ｄを説明する。図１７に示すように、第４実施形態における生理用ナプキン１Ｄは、各シート部材に様々な伸張加工を組み合わせることにおいて第１実施形態と異なる。具体的には、生理用ナプキン１Ｄは、表面シート２に波型のエンボス加工を施し、中間シート５に開孔部１０２を設け、ティッシュ７に折り返し部７１を設けることにより、伸張性を持たせる構成としている。
【００６５】
このように、第４実施形態における生理用ナプキン１Ｄは、第２実施形態及び第３実施形態に使用した伸張手段を組み合わせて使用するものである。なお、伸張手段の組み合わせは、上記に限らず、それぞれがいずれかの伸張手段を有する構成であればよい。
【００６６】
［２．４］第５実施形態
図１８及び図１９を用いて、本発明の第５実施形態における生理用ナプキン１Ｅを説明する。図１８に示すように、生理用ナプキン１Ｅは、第１実施形態に係る生理用ナプキン１よりも長手方向に長く、後方側に長い生理用ナプキンであり、いわゆる夜用に用いられる生理用ナプキン１Ｅであることにおいて、第１実施形態と異なる。生理用ナプキン１Ｅは、尾てい骨まで覆うくらいに後方側に長いため、例えば、就寝時における寝姿勢時において好適に使用することができる。生理用ナプキン１Ｅの長手方向の長さとしては、２５０ｍｍ以上を例示することができる。好ましくは２９０ｍｍから４２０ｍｍの範囲を例示することができる。さらに好ましくは３３０ｍｍから４００ｍｍの範囲を例示することができる。
【００６７】
また、図１９（Ａ）及び（Ｂ）に示すように、第５実施形態に係る生理用ナプキン１Ｅは、コア部４０を囲む溝１１に加え、その幅方向外側にさらに溝１１ａを備えている。このように、溝１１、１１ａを二重に設けることにより、溝１１と溝１１ａとの間に表面を流れる排泄物を一時的に収納するための空間を形成することができる。なお、溝１１ａの本数や形状は、第５実施形態に示すものに限らない。例えば、溝１１、１１ａを３重に設ける構成としてもよい。
【００６８】
生理用ナプキン１Ｅは、着用者の臀部側おいて、生理用ナプキン１Ｅの長手方向中心線Ｌを横切るように溝１１を設けている。これにより、装着時において、着用者の臀部からの圧力により溝１１が変形した場合に、臀部側のコア部４０も凸状に変形可能になる。したがって、臀部を伝い漏れる排泄物等を凸状に変形したコア部４０で防止することが可能になる。なお、この場合においても、コア部４０の肌当接面側に配置されるシート部材は、伸張性を有することは言うまでもない。
【００６９】
さらに、第５実施形態に係る生理用ナプキン１Ｅは、弾性部材と防漏シートにより形成される防漏壁、いわゆるレッグギャザー９１を配置している。防漏シートは、生理用ナプキン１Ｅにおける幅方向に延びて表面シート２の一部であるサイドシート６を構成する。
【００７０】
防漏シートは、表面シート２の肌当接面側であって、身体に装着した状態においてレッグギャザー９１を形成するように配置される。防漏シートは、主に、排泄部から排泄された経血等の排泄物であって、表面シート２の肌当接面側を流れる排泄物の漏れを防止する。ここで、防漏シートは、例えば、高分子弾性樹脂等の伸縮可能な材質を含むことで、装着時において身体の動きに柔軟に対応可能なレッグギャザー９１を形成する。防漏シートは、ゴムのような弾性部材を防漏シートに配置することで、レッグギャザー９１を形成してもよい。また、防漏シートが生理用ナプキン１Ｅの幅方向における端部側に延びて表面シート２の一部であるサイドシート６を構成してもよい。
【００７１】
防漏シートは、例えば、スパンボンド不織布や、ポイントボンド不織布等が挙げられ、これらに撥水処理が施されたものを用いることができる。なかでも極細繊維で構成され、繊維間距離が非常に小さいメルトブローンを含むＳＭＳ（スパンボンド・メルトブローン・スパンボンド）不織布であることが好ましい。
【００７２】
レッグギャザー９１は、サイドシート６の肌当接面側に生理用ナプキン１Ｅの幅方向に延出するように防漏シートを設け、その防漏シートの幅方向端部に少なくとも１本以上の弾性部材を長手方向に沿うように配置し、ホットメルト等により固定する。ここで、防漏シートは、生理用ナプキン１Ｅの幅方向に延出したままの状態であってもよく、生理用ナプキン１Ｅの幅方向中心に向かって折り返し、その折り返し部が生理用ナプキン１Ｅの肌当接面側に配置されるようにしてもよい。
【００７３】
なお、第５実施形態においては、レッグギャザー９１は、断面がΣ型のレッグギャザー９１を用いたが、本発明においてはこれに限らない。例えば、断面がＴ型、Ｙ型、Ｌ型、ドーム状の中空なもの等、あらゆる形状のレッグギャザー９１を用いることができる。
【００７４】
［２．５］第６実施形態
図２０から図２４を用いて、本発明の第６実施形態における生理用ナプキン１Ｆを説明する。図２０に示すように、生理用ナプキン１Ｆは、吸収体４のサイド部４１を非肌当接面側に折り返していることにおいて、第１実施形態と異なる。具体的には、生理用ナプキン１Ｆは、吸収体４のサイド部４１のそれぞれを吸収体４の幅方向中心側に、厚さ方向における非肌当接面側に折り返している。これにより、サイド部４１がコア部４０よりも厚さ方向における高さが高くなり、コア部４０と裏面シート３との間に空間部４３が形成される。
【００７５】
このように、コア部４０と裏面シート３との間に空間部４３を形成することにより、例えば、図２４（Ａ）に示すように、着用者の大腿部からの圧縮力により、幅方向から中心方向に向かって応力が生じた場合に、図２４（Ｂ）に示すように、吸収体４のサイド部４１の折り返し部分が空間部４３に入り込むことが可能となる。これにより、コア部４０が非肌当接面側へ凹状に変形することを制限すると共に、コア部４０の肌当接面側への凸状の変形を誘導することが可能となる。
【００７６】
なお、第６実施形態においては、サイド部４１を中心方向に折り返すことにより、コア部４０と裏面シート３との間に空間部４３を形成したが、本発明においてはこれに限らない。例えば、コア部４０の目付を低くして、コア部４０と裏面シート３との間に所定の空間部４３を形成してもよい。また、図２１に示すように、サイド部４１の目付量を多くする等の変更をし、サイド部４１の厚さ方向における高さを調節することにより、コア部４０と裏面シート３との間に空間部４３を形成してもよい。
【００７７】
また、第６実施形態においては、長手方向の全域においてサイド部４１を中心方向に折り返したが、本発明においてはこれに限らない。例えば、図２２に示すように、サイド部４１の折り返し部４４は、サイド部４１の全域だけでなく、少なくともその一部を折り返すこととしてもよい。例えば、略中心部に該当する位置において折り返し部４４を折り返すものとしてもよい。
【００７８】
第６実施形態においては、サイド部４１は、吸収体４の略中心に向かって溝１１を越える位置まで伸びるように折り返したが、本発明においてはこれに限らない。例えば、図２３に示すように、幅方向略中心近傍まで、サイド部４１を折り返すものとしてもよい。このように、幅方向略中心近傍までサイド部４１を折り返すことにより、コア部４０の変形時において、非肌当接面側への変形を阻止することが可能になるため、肌当接面側への変形を誘導することができる。また、伸ばされたサイド部４１は、コア部４０を肌当接面側に押し上げることとなるため、コア部４０は、より容易に凸状に変形することが可能になる
【００７９】
［２．６］第７実施形態
図２５を用いて、本発明の第７実施形態における生理用ナプキン１Ｇを説明する。図２５に示すように、生理用ナプキン１Ｇは、表面シート２を吸収体４とともには圧搾せず、表面シート２の幅方向における両端に伸張手段を有することにおいて、第１実施形態と異なる。具体的には、生理用ナプキン１Ｇは、吸収体４のみを圧搾することにより溝１１を形成し、溝１１の外側であって、サイド部４１の肌当接面側に波形のエンボス加工を施した表面シート２を配置する。
【００８０】
このように、生理用ナプキン１Ｇは、吸収体４のコア部４０における肌当接面側に配置される表面シート２には伸張手段を設けず、表面シート２の両側部であるサイド部４１における肌当接面側に配置される表面シート２において伸張手段を設ける。これにより、コア部４０の肌当接面側の表面シート２は伸張しないが、サイド部４１の肌当接面側の表面シート２が伸張するため、コア部４０は容易に凸状に変形することができる。また、コア部４０の肌当接面側における表面シート２に伸張手段を設けない構成としているため、当該部分における強度が十分に保たれ、着用者の肌との接触による破れや毛羽立ちを抑制することが可能となる。また、表面シート２の肌当接面側に波型等の加工時に高剛性部が形成されたとしても、着用者の排泄部等とこの高剛性部とが直接当接することがなくなるため、快適性を向上させることが可能になる。
【００８１】
［３］各構成物
以下に、各構成物について説明する。
【００８２】
［３．１］表面シート
【００８３】
表面シート２は、表面シート２の全部または一部を構成する液透過性のシートを用いることができる。表面シート２に用いられる材料としては、例えば、表面シート２の全部又は一部を構成する液透過性域と同様の多数の液透過孔が形成された樹脂フィルム、多数の網目を有するネット状シート、液透過性の不織布、又は織布などが例示できる。樹脂フィルムやネット状シートとしては、例えば、ポリプロピレン（ＰＰ）、ポリエチレン（ＰＥ）、ポリエチレンテレフタレート（ＰＥＴ）などで形成されたものを用いることができる。また、不織布としては、例えば、レーヨンなどのセルロース繊維、合成樹脂繊維などから形成されたスパンレース不織布、前記合成樹脂繊維で形成されたエアスルー不織布などを用いることができる。内部に繊維間の空隙が形成されたエアースルー不織布の繊維構成としては、例えば、親水性繊維と疎水性繊維との合成繊維を用いることができる。
【００８４】
なお、表面シート２は、液の引き込み性を考慮して、表面シート２の一部にその周囲よりも密度が高いものを配置する疎密勾配や、表面シート２自体に疎と密の勾配を持たせたもの、また、親水性に差を持たせたようなものを付与することが好ましい。
【００８５】
親水性繊維としては、例えば、中空構造を持つ繊維であり、繊維の内層がポリエチレンテレフタレートであり、繊維の外層が高密度のポリエチレンである繊維が例示できる。親水性繊維は、天然セルロース繊維、例えばコットンやレーヨンなどが挙げられる。
【００８６】
また、疎水性繊維としては、芯鞘構造を持つ繊維であり、芯部がポリエチレンテレフタレートにより中充されたもので、鞘が高密度のポリエチレンなどの繊維が例示できる。なお、疎水性繊維としては、液体の入り込み性やリウエットバック等を考慮して、親水剤や撥水剤等を練り込んだり、コーティングしてもよい。また、コロナ処理やプラズマ処理により親水性を付加してもよい。
【００８７】
また、表面シート２は、白濁化させるために、酸化チタン、硫酸バリウム、炭酸カルシウムなどの無機フィラーが含有されていてもよい。芯鞘構造を持つ繊維の場合においては、芯のみに含有してもよく、鞘に含有してもよい。好ましくは、芯のみに含有されることが好ましい。酸化チタンは、芯部にのみ含まれていた方が白色度を呈する箇所に偏りが生じ難いためである。
【００８８】
表面シート２の構成樹脂としては、本実施形態においては、熱可塑性樹脂であるポリエチレンテレフタレートと高密度ポリエチレンとの複合タイプの繊維を用いて形成したが、本発明においてはこれに限らない。例えば、低密度ポリエチレン、高密度ポリエチレン、直鎖状ポリエチレン、ポリプロピレン、ポリエチレンテレフタレート、変性ポリプロピレン、変性ポリエチレンテレフタレート、ナイロン等の熱可塑性樹脂で構成し、各樹脂を単独、若しくは複合した繊維を用いてもよい。
【００８９】
肌に残るような少量な経血や汗などをも吸収するために、パルプ、化学パルプ、レーヨン、アセテート、天然コットンなどのセルロース系の親水性繊維が含まれていてもよい。なお、セルロース系繊維は、一度吸収した液体を排出しにくいため、中間シート５に混入するか、若しくは、表面シート２が複数層からなり最表層以外の層に混入することが好ましい。
【００９０】
本実施形態においては、繊度が２．６ｄｔｅｘである繊維と、２．２ｄｔｅｘである繊維と、を複合して形成した不織布を用いたが、本発明においてはこれに限らず、繊度が０．１から８．９ｄｔｅｘの範囲であるものを単独、若しくは複合した繊維を用いてもよい。好ましくは、１．１ｄｔｅｘから５．６ｄｔｅｘであることが好ましい。繊度が０．１ｄｔｅｘ以下であると、繊維間の密度が高くなりすぎてしまい体液を保持し易くなるためである。また、繊度が８．９ｄｔｅｘ以上であると繊維が固くなってしまい肌触りが悪くなるためである。
【００９１】
本実施形態においては、繊維形状として、同心芯鞘構造を採用しているが、本発明においてはこれに限らない。例えば、偏心芯鞘構造、サイドバイサイド構造、扁平繊維、Ｙ型、Ｃ型などの異形型を用いてもよい。また、これに、水流や熱、エンボスなどの物理的負荷により分割する繊維が含まれるものであってもよい。なお、肌当接面側に使用する繊維、いわゆる表面シート２としては、熱融着によって繊維の毛羽立ちを防ぎながらふんわりとした嵩を維持するためには、芯がポリエチレンテレフタレート、鞘がポリエチレンの芯鞘構造が好ましい。
【００９２】
構成要素としては、繊維の種類が単一であってもよく、３種以上の複数の繊維を混合してもよい。吸収体を凸状に変形させるためには、固定部間の肌当接面側の距離と非肌当接面側の距離の差ができことより、吸収層の上方に位置する表面シート２及び中間シート５は、捲縮繊維や繊維間の融着点を少なくしたようなシートで幅方向に拡幅し易いものを用いることが好ましい。
【００９３】
なお、本実施形態においては、目付が３０ｇ／ｍ２のものを用いたが、本発明においてはこれに限らない。例えば、目付が５ｇ／ｍ２から８０ｇ／ｍ２の範囲のものを用いてもよい。好ましくは、目付が２０ｇ／ｍ２から６０ｇ／ｍ２であるものを用いることができる。目付が５ｇ／ｍ２以下であると、十分なシート強度が得られずに破れるおそれがあり、また、目付が８０ｇ／ｍ２以上であるとシートの剛性が強くなりすぎるために上方に隆起させることが困難になるためである。
【００９４】
表面シート２の製造方法としては、カード法により積層されたウェブをスルーエアー法により形成された不織布を用いたが、本発明においてはこれに限らない。例えば、エアレード法による積層でもよく、スパンボンド法、スパンレース法、ポイントボンド、ニードルパンチ等により形成された不織布を用いてもよい。より好ましくは肌触りや液の通過性を考えるとスルーエアー法によるものがよい。
【００９５】
［３．２］中間シート
中間シート５は、表面シート２と吸収体４との間に配置され、吸収体４の支持体としての役割を果たすと共に、吸収体４に柔軟性と形態安定性とを付与をする液透過性シートである。中間シート５に用いられる材料としては、表面シート２と同様のものを用いることができる。なお、中間シート５は、液の引き込み性を考慮して、中間シート５の一部にその周囲よりも密度が高いものを配置する疎密勾配や、中間シート５自体に疎と密の勾配を持たせたもの、また、親水性に差を持たせたようなものを付与することが好ましい。
【００９６】
［３．３］吸収体
吸収体４に使用される材料としては、針葉樹クラフトパルプを粉砕したものに、高吸収ポリマーを１０％ブレンドしたものをティッシュ７で包んだものを使用したが、本発明においてはこれに限らない。例えば、吸収体４は、粉砕したパルプに熱融着性の合成繊維をブレンドしたものや、エアレード、パルプ等のシート状のもの、コットンやレーヨン、パルプ等からなるスパンレース不織布やそれらを混合したものを用いてもよい。また、弾性のあるウレタンやセルローススポンジ等を使用してもよい。なお、本発明においては、上記に挙げたもの、又はこの組み合わせによるものに限定されず、通常吸収体として使用されるものであればよい。
【００９７】
なお、本発明に係る吸収体４は、吸収体４の形状及び構造を必要に応じて変えることができるが、吸収体４の全吸収量は、生理用ナプキン１としての設計挿入量及び所望の用途に対応させる必要がある。また、吸収体４のサイズや吸収能力等は、幼児から大人までの着用者に対応して変動される。
【００９８】
［３．４］裏面シート
裏面シート３は、吸収体４に吸収された排泄物が外へ漏れ出すのを防止できる材料が使用される。また、透湿性素材とすることにより、装着時のムレを低減させることができ、装着時における不快感を低減させることが可能となる。このような材料として、本実施形態における裏面シート３は、液不透過性のポリエチレン（ＰＥ）シートを使用したが、本発明においてはこれに限られない。例えば、ポリエチレン（ＰＥ）、ポリプロピレン（ＰＰ）、ポリエチレンテレフタレート（ＰＥＴ）、ＥＶＡ樹脂のうち、１種または２種以上を組み合わせて得られる樹脂フィルム、この樹脂フィルムにフィラー等を添加し延伸して微細な孔を形成して透湿性を付加したもの、または樹脂と紙のラミネート材、不織布と樹脂フィルムが積層されたシートを用いてもよい。好ましくは、疎水性の不織布、不透水性のプラスティックフィルム、不織布と不透水性プラスティックフィルムとのラミネートシート部等を用いることができる。また、耐水性の高いメルトブローン不織布を強度の強いスパンボンド不織布で挟んだＳＭＳ不織布でもよい。さらに好ましくは、伸張性の高い材料であることが好ましく、例えば、伸張性のウレタンにより形成された撥水性不織布や潜在熱捲縮繊維に熱を加え、コイル状にすることにより伸縮性をもたせ他ものに撥水処理を施したものを用いてもよい。
【００９９】
［３．５］粘着体
ズレ止め用粘着部８及び粘着部９における粘着体は、ゴム系ホットメルトを使用したが、本発明においてはこれに限らず、例えば、オレフィン系ホットメルト、メカニカルファスナー、スチレンゴム系のすべり止め剤、等を用いてもよい。
【図面の簡単な説明】
【０１００】
【図１】本発明の第１実施形態に係る生理用ナプキンの平面図である。
【図２】図１の底面図である。
【図３】図１を説明するためのＸ−Ｘ断面を示す説明図である。
【図４】コア部の凸状変形時における各層の開孔部を示す図である。
【図５】開孔パターンを示す図である。
【図６】開孔パターンの他の形態を示す図である。
【図７】第１実施形態に係る生理用ナプキンの他の形態を示す図である。
【図８】溝の他の形態を示す図である。
【図９】第１実施形態に係る生理用ナプキンの他の形態を示す図である。
【図１０】溝において生理用ナプキンと下着とを固定した状態を示す断面図である。
【図１１】サイドフラップを有する生理用ナプキンを装着した状態を示す断面図である。
【図１２】本発明の第２実施形態に係る生理用ナプキンを示す図である。
【図１３】折り返し部の他の形態を示す断面図である。
【図１４】本発明の第３実施形態に係る生理用ナプキンを示す図である。
【図１５】表面シートにおける伸張手段の他の形態を示す図である。
【図１６】表面シートにおける伸張手段の他の形態を示す図である。
【図１７】本発明の第４実施形態に係る生理用ナプキンを示す図である。
【図１８】本発明の第５実施形態に係る生理用ナプキンを示す図である。
【図１９】図１８の断面を説明するための図である。
【図２０】本発明の第６実施形態に係る生理用ナプキンを示す図である。
【図２１】第６実施形態に係る生理用ナプキンの他の形態を示す図である。
【図２２】折り返し部を有する吸収体を示す図である。
【図２３】第６実施形態に係る生理用ナプキンの他の形態を示す図である。
【図２４】第６実施形態に係る生理用ナプキンの変形状態を示す図である。
【図２５】本発明の第７実施形態に係る生理用ナプキンを示す図である。
【符号の説明】
【０１０１】
１    生理用ナプキン
２    表面シート
３    裏面シート
４    吸収体
５    中間シート
６    サイドシート
７    ティッシュ
１１    溝
４０    コア部
４１    サイド部
Ｗ１、Ｗ２    サイドフラップ
【図１】
2008125918.tif 000003
【図２】
2008125918.tif 000004
【図３】
2008125918.tif 000005
【図４】
2008125918.tif 000006
【図５】
2008125918.tif 000007
【図６】
2008125918.tif 000008
【図７】
2008125918.tif 000009
【図８】
2008125918.tif 000010
【図９】
2008125918.tif 000011
【図１０】
2008125918.tif 000012
【図１１】
2008125918.tif 000013
【図１２】
2008125918.tif 000014
【図１３】
2008125918.tif 000015
【図１４】
2008125918.tif 000016
【図１５】
2008125918.tif 000017
【図１６】
2008125918.tif 000018
【図１７】
2008125918.tif 000019
【図１８】
2008125918.tif 000020
【図１９】
2008125918.tif 000021
【図２０】
2008125918.tif 000022
【図２１】
2008125918.tif 000023
【図２２】
2008125918.tif 000024
【図２３】
2008125918.tif 000025
【図２４】
2008125918.tif 000026
【図２５】
2008125918.tif 000027